(57)【要約】      （修正有）【課題】破損を引き起こす傾向のある力が典型的に集中するハンドル領域における破損に対して破損耐性リムを含むカバン物品を提供する。【解決手段】シェルの一方は、凹部２２０を設けた周縁リム２１０を有していてもよい。他方のシェル１１０は、ケースを閉じたときに凹部２２０内で係合可能な突出フランジ２６０を設けた周縁リム２５０を有していてもよい。シェルの少なくとも一方は、対向するシェルの周縁リム２１０−を超えて突出してその後ろで係合するよう構成される第２の周縁突出フランジ２３０を有していてもよい。第２の周縁突出フランジ２３０は、前記周縁リム２１０の小部分から、又は前記周縁リム２１０の個別の選ばれた区域に沿って延びるよう限定されてもよい。【選択図】図５Ｂ
2020069401.tif 000002
【特許請求の範囲】
【請求項１】
蝶番により第２のシェルに連結された第１のシェルを含むカバンケースであって、
前記第１のシェル及び前記第２のシェルは、閉じた構成において互いに突合する第１の周縁リム及び第２の周縁リムをそれぞれ有し、
前記第１の周縁リムは凹部を含み、
前記第２の周縁リムは、前記第１のシェル及び前記第２のシェルが前記閉じた構成にあるときにスロット状の凹部内で係合する第１の突出フランジを含み、
前記第１のシェル及び前記第２のシェルの少なくとも一方は、対向する前記シェルの前記周縁リムを超えて突出し、対向する前記シェルの前記周縁リムの内側で係合するよう構成される第２の突出フランジを含む、カバンケース。
【請求項２】
前記第２の突出フランジは前記第１のシェルにある請求項１に記載のカバンケース。
【請求項３】
前記第１の突出フランジは前記第２の周縁リムの半分より多くの部分に沿って延びる請求項１又は請求項２に記載のカバンケース。
【請求項４】
前記第２の突出フランジは前記第１の周縁リム及び第２の周縁リムの少なくとも一方の一部分にのみ沿って突出する請求項１〜請求項３のいずれか一項に記載のカバンケース。
【請求項５】
前記第２の突出フランジは前記第１の周縁リム及び第２の周縁リムの少なくとも一方の長辺の中点の領域の一部分に沿って突出する請求項１〜請求項４のいずれか一項に記載のカバンケース。
【請求項６】
前記第２の突出フランジは前記カバンケースのキャリーハンドルに近い前記第１の周縁リム及び第２の周縁リムの少なくとも一方の一部分に沿って突出する請求項１〜請求項５のいずれか一項に記載のカバンケース。
【請求項７】
前記第２の突出フランジは前記第１の突出フランジよりも前記カバンケースに対してより内側に配置され突出する請求項１〜請求項６のいずれか一項に記載のカバンケース。
【請求項８】
前記第２の突出フランジは前記第２のシェルの前記第２の周縁リムから内部へ向かって横に延びる横方向側面フランジに近くかつこれに面する外向きの面を含む請求項１〜請求項７のいずれか一項に記載のカバンケース。
【請求項９】
前記第２の突出フランジは前記対向する第１のシェル又は第２のシェルの前記周縁リムに近くかつこれに突合する外向きの面を含む請求項１〜請求項８のいずれか一項に記載のカバンケース。
【請求項１０】
前記第１の周縁リム及び前記第２の周縁リムはそれぞれ、前記第１の突出フランジ及び第２の突出フランジが概して垂直に突出する起点となっている横方向面を含む請求項１〜請求項９のいずれか一項に記載のカバンケース。
【請求項１１】
前記第１の周縁リムは前記凹部が形成される横方向面を含み、前記横方向面は、前記第２の周縁リムに形成される横方向面と、前記閉じた構成のときに概して平行に対向する請求項１〜請求項９のいずれか一項に記載のカバンケース。
【請求項１２】
前記第１の周縁リムは、前記凹部の底に配置されかつ前記閉じた構成のときに前記第１の突出フランジの端部に突合するよう構成される封止具を含む請求項１〜請求項１１のいずれか一項に記載のカバンケース。
【請求項１３】
前記第１の周縁リム又は前記第２の周縁リムは、そこから延びる個別の突起を備え、前記個別の突起は、第１のシェル及び前記第２のシェルの他方におけるロック機構又はハンドルの少なくとも一方の領域において画定される凹部であって、前記個別の突起に対応する凹部に係合するよう構成される、請求項１〜請求項１２のいずれか一項に記載のカバンケース。
【請求項１４】
前記第１の周縁リムは、少なくとも２つの概して平行なフランジを含み、前記フランジは、前記第１の周縁リムから内部に向かい、前記第１の周縁リムに沿って延び、前記第１のシェルの内部に向かって開くＣ形を形成する請求項１〜請求項１３のいずれか一項に記載のカバンケース。
【請求項１５】
前記第２の周縁リムは、少なくとも２つの概して平行なフランジを含み、前記フランジは、前記第２の周縁リムから内部に向かい、前記第２の周縁リムに沿って延び、前記第２のシェルの内部に向かって開く溝部を形成する請求項１〜請求項１４のいずれか一項に記載のカバンケース。
【発明の詳細な説明】
【技術分野】
【０００１】
本開示はカバン物品全体に関し、より具体的には破損耐性リムを含むカバン物品に関する。
【背景技術】
【０００２】
伝統的なカバンケースは、ケースの小面に沿って画定される継ぎ目の線で画定される第１及び第２のシェル又は半体を伴う分離構造を含む。例えば、伝統的なカバンケースの構成は、ケースの上部小面、底部小面、左小面、及び右小面に沿って前記継ぎ目が画定されるものである。この継ぎ目の位置に沿って、それぞれのケース半体は、それと対向するケース半体と係合するための境界面を有する。ケース半体間の伝統的な境界面は、特に、破損を引き起こす傾向のある力が典型的に集中するハンドル領域における破損に対して破損防止効果が不十分である。
【発明の概要】
【発明が解決しようとする課題】
【０００３】
したがって、上記問題の１つ又はすべてに対処し、かつ／又は、より一般的に既存の構造に改良をもたらすか若しくはその替わりとなる、改良されたカバンケースを提供することが望ましい。
【０００４】
本開示に関連し得る文書は、欧州特許出願公開第２８２６３９４号明細書、中国特許第１０３４１０８２０（Ｂ）号明細書、国際公開第２０１００２９５８０（Ａ１）号パンフレット、欧州特許第１８６７２４６（Ｂ１）号明細書、米国特許第７５４０３６４（Ｂ２）号明細書、欧州特許出願公開第１７９９０６３号明細書、米国特許第６３６７６０３（Ｂ１）号明細書、国際公開第１９９９０４４８０７（Ａ１）号パンフレット、米国特許第５７５５３１１（Ａ）号明細書、米国特許第５９２４５３３（Ａ）号明細書、米国特許第５８９４９１４（Ａ）号明細書、米国特許第５４５８７１８（Ａ）号明細書、米国特許第５４０７０３８（Ａ）号明細書、米国特許第５１１１９２０（Ａ）号明細書、英国特許第１２３６９９１（Ａ）号明細書、中国実用新案第２０３９４３２０５（Ｕ）号明細書、台湾特許出願公開第２０１３１１１７７（Ａ）号明細書、米国特許第８９６０３９１（Ｂ２）号明細書、国際公開第２０１１０９３９８４（Ａ１）号パンフレット、及び米国特許第７４５１８７２（Ｂ１）号明細書を含む。
【課題を解決するための手段】
【０００５】
本開示は、１つの縁に沿って蝶番により連結される２つの対向するシェルを含み、閉じた構成において互いに接する周縁リムを有し、前記閉じた構成はカバン物品の破損傾向に抗する、カバン物品を提供する。シェルの一方は、凹部を設けた周縁リムを有していてもよい。他方のシェルは、ケースを閉じたときに凹部内で係合可能な突出フランジを設けた周縁リムを、前記周縁リム同士が概して突合又は係合するように、有していてもよい。シェルの少なくとも一方は、対向するシェルの周縁リムを超えて突出してその後ろ（即ち、カバン物品の内側寄り）で係合するよう構成される第２の周縁突出フランジを有していてもよい。第２の周縁突出フランジは、前記周縁リムの小部分から、又は前記周縁リムの個別の選ばれた区域に沿って延びるよう限定されてもよい。
【０００６】
１つの例において、カバンケースは、蝶番により第２のシェルに連結された第１のシェルを含み、前記第１のシェル及び前記第２のシェルは、閉じた構成において互いに突合する第１の周縁リム及び第２の周縁リムをそれぞれ有していてもよい。前記第１の周縁リムはスロット状凹部を含んでいてもよく、前記第２の周縁リムは、前記第１のシェル及び前記第２のシェルが前記閉じた構成にあるときにスロット状凹部内で係合する第１の突出フランジを含んでいてもよい。前記第１のシェル及び前記第２のシェルの少なくとも一方は、前記対向するシェルの前記周縁リムを超えて突出しかつその内側で係合するよう構成される第２の突出フランジを含んでいてもよい。
【０００７】
追加的に又は別個に、前記第２の突出フランジは前記第１のシェルにあってもよい。
【０００８】
追加的に又は別個に、前記第１の突出フランジは前記第２の周縁リムの半分より多くの部分に沿って延びてもよい。
【０００９】
追加的に又は別個に、前記第１の突出フランジは概して一定の高さを画定してもよい。
【００１０】
追加的に又は別個に、前記第２の突出フランジは前記周縁リムの一部分に沿って突出していていてもよく、かつ／又は前記第２の突出フランジは前記周縁リムの長辺の中点の領域の一部分に沿って突出していてもよく、かつ／又は前記第２の突出フランジは前記周縁リムの短辺の中点の領域の一部分に沿って突出していてもよく、かつ／又は前記第２の突出フランジは前記カバンケースのキャリーハンドルに近い前記周縁リムの一部分に沿って突出していてもよい。
【００１１】
別の例において、追加的に又は別個に、前記第２の突出フランジは前記第１の突出フランジよりもケースに対してより内側に配置され突出する。
【００１２】
別の例において、追加的に又は別個に、前記第２の突出フランジは前記シェルの前記第２の周縁リムから内部へ向かって横に延びる横方向側面フランジに近くかつこれに面する外向きの面を含んでいてもよい。追加的に又は別個に、前記第２の突出フランジは前記対向するシェルの前記周縁リムに近くかつこれに突合する外向きの面を含む。
【００１３】
別の例において、前記第１の周縁リム及び前記第２の周縁リムはそれぞれ、前記突出フランジが概して垂直に突出する起点となっている横方向面を含んでいてもよい。
【００１４】
追加的に又は別個に、前記第１の周縁リムは前記凹部が形成される横方向面を含んでいてもよく、前記横方向面は、前記第２の周縁リムに形成される横方向面に対して、前記閉じた構成のときに概して平行に対向する。
【００１５】
別の例において追加的に又は別個に、前記第１の周縁リムは、前記凹部の底に配置されかつ前記閉じた構成のときに前記第１の突出フランジの端部に突合するよう構成される封止具を含んでいてもよい。
【００１６】
別の例において、追加的に又は別個に、前記第１の周縁リム又は前記第２の周縁リムは、そこから延びる個別の突起を含んでもよく、前記個別の突起は、他方のシェルにおけるロック機構又はハンドルの少なくとも一方の領域において画定され、前記個別の突起に対応する凹部と係合する。追加的に、前記個別の突起は、前記第２の突出フランジの一部として前記周縁リムの面から延びてもよく、横方向の厚みが増していることによって前記第２の突出フランジと区別される。
【００１７】
追加的に又は別個に、前記第１の周縁リムは、少なくとも２つの概して平行なフランジを含んでいてもよく、前記フランジは、前記第１の周縁リムから内部に向かい、前記第１の周縁リムに沿って延び、前記第１のシェルの内部に向かって開くＣ形を形成する。
【００１８】
追加的に又は別個に、前記第２の周縁リムは、少なくとも２つの概して平行なフランジを含んでいてもよく、前記フランジは、前記第２の周縁リムから内部に向かって、前記第２の周縁リムに沿って延び、前記第２のシェルの内部に向かって開く溝部を形成する。
【００１９】
追加的な実施形態及び特徴は、部分的に以下の記述に提示され、本明細書の検討により当業者に明らかとなるか、又は開示される主題の実施により習得され得る。本開示の性質と利点の更なる理解は、本開示の一部を成す本明細書の残りの部分及び図面の参照により実現され得る。当業者は、本開示の種々の様相及び要素のそれぞれが、いくつかの例においては個別で、他の例においては本開示の他の様相及び特徴と組み合わせて、有利に用いられ得ることを理解するであろう。
【図面の簡単な説明】
【００２０】
【図１】本開示のいくつかの例によるカバン物品の等角投影背面図である。
【図２】図１の前記カバン物品の後部シェルの等角投影図であり、収納可能な引手ハンドルを格納位置で示す。
【図３】図１の前記カバン物品の後部シェルの等角投影図であり、収納可能な引手ハンドルを延ばした位置で示す。
【図４Ａ】図１の４Ａ−４Ａ断面による前記カバン物品の等角投影断面図である。
【図４Ｂ】図４Ａに示す前記カバン物品の後部シェルのみを示す等角投影詳細図である。
【図４Ｃ】図１の４Ｃ−４Ｃ断面による前記カバン物品の等角投影断面図である。
【図５Ａ】図４Ａの５Ａ−５Ａ断面による前記カバン物品の断面図である。
【図５Ｂ】図４Ａの５Ｂ−５Ｂ断面による前記カバン物品の断面図である。
【発明を実施するための形態】
【００２１】
本開示によれば、カバン物品は、１つの縁に沿って蝶番により連結される２つの対向するシェルを有し、これらのシェルは、閉じた構成において突合し合う周縁リムを有し、この閉じた構成は前記カバン物品の破損傾向に耐性をしめす。前記シェルのうちの一方は、凹部を設けた周縁リムを有していてもよい。他方のシェルは、ケースを閉じたときに概して前記周縁リム同士が突合又は係合し合うように前記凹部内で係合可能な突出フランジを設けた周縁リムを有していてもよい。前記シェルの少なくとも一方は、対向するシェルの周縁リムを超えて突出してその後ろ（即ち、カバン物品の内側寄り）で係合するよう配置される第２の周縁突出フランジを有していてもよい。第２の周縁突出フランジは、前記周縁リムの小部分から、又は前記周縁リムの個別の選ばれた区域に沿って延びるよう限定されてもよい。
【００２２】
図１〜５Ｂは、本開示の種々の例、実施形態、及び態様による例示的なカバン物品１００を示す。カバン物品１００は、複数の壁又はパネル（以下、限定を意図せず便宜上「パネル」とする）から形成され、使用者の所持品を入れる内部収納空間１０４を画定する筐体１０２を含む。１つの例において、筐体１０２は、第１及び第２のシェル部分１１０、１２０から形成されていてよく、これらは、それぞれ右及び左のシェル部分又は半体であってもよく、互いに同様の寸法であってもよく、又は一方のシェル部分が収納空間１０４を含むような寸法であってもよい。図示するように、第１のシェル部分１１０及び第２のシェル部分１２０（以下、それぞれ第１のシェル又は第２のシェルと呼ぶことがある）はそれぞれ、カバン物品１００の１又は複数のパネルにより画定されてもよい。例えば、第１のシェル部分１１０は、筐体１０２の前部主要パネル１１１、及び前部パネル、後部パネル、上部パネル、底部パネルのそれぞれの少なくとも一部１１２、１１３、１１４、１１５により画定されてもよい。このような例において、第２のシェル部分１２０は、筐体１０２の後部主要パネル１２１、及び前部パネル、後部パネル、上部パネル、底部パネルの残部１２２、１２３、１２４、１２５により画定されてもよい。
【００２３】
各シェルは継ぎ目２００において周縁リム２１０、２５０を含んでいてもよい。周縁リム２１０、２５０は、カバン物品１００を閉じたとき互いに突合してもよい。いくつかの例において、各シェル部分１１０又は１２０は、それぞれがその周縁リム２１０、２５０を画定する縁取り片２００ａ、２００ｂを含んでいてもよい。縁取り片２００ａ、２００ｂは、カバン物品１００に望まれる美的特性及び／又は機能的特性を与えるものでもよい。例えば、以下に説明するように、縁取り片１９６は、カバン物品１００を閉じることを容易にするものでもよい。縁取り片が筐体１０２の壁と連続していない実施形態において、縫い目及び／又は何らかの欠点を隠し、すっきりとした外観及び／又は第１のシェル部分１１０と第２のシェル部分１２０との間にきれいな接触面を提供するために、縁取り片２００ａ、２００ｂで筐体１０２の壁の周囲の縁を飾るようにしてもよい。
【００２４】
パネルの寸法と形状は、少なくとも図１に示すもののように、カバン物品１００の高さが幅より大きく、幅が奥行きより大きくなるようにしてもよい。筐体１０２は他の寸法と形状であることも想定され、図示し説明する例は、ただ例示を目的として示すものである。カバン物品１００は、側面が硬質のカバンケースとして図示しているが、硬質側面素材と軟質側面素材との数多くの組み合わせから形成してもよい。例えば、筐体１０２は硬質側面素材から型で成形してもよく、又は硬質側面素材と軟質側面素材との組み合わせ（「ハイブリッド」構造として知られる）から形成してもよい。いくつかの例において、筐体１０２は、本明細書に記載する継ぎ目２００を実現できるよう適切に構成されるフレーム構造で支持される軟質側面素材で全体が形成されていてもよい。硬質側面素材は、（自己強化又は繊維強化）熱可塑性素材、ＡＢＳ、ポリカーボネート、ポリプロピレン、ポリスチレン、ＰＶＣ、ポリアミド、ＰＴＦＥ、又は二軸延伸ポリプロピレンなどであってもよい。軟質側面素材は、ナイロン、カンバス、ポリエステル、革、ＰＶＣ、ポリプロピレン、ポリエチレン、及び／又はＰＴＦＥなどであってもよい。
【００２５】
引き続き図１〜４を参照すると、カバン物品１００は、１又は複数の上部キャリーハンドル１４０ａ、サイドキャリーハンドル１４０ｂ、及び／又は収納可能な引手ハンドル１３０などの複数のハンドルを含んでいてもよい。例えば、カバン物品１００は、筐体１０２の上部（例えば１１４又は１２４）の少なくとも一部分に連結される１又は複数の上部キャリーハンドル１４０ａを含んでいてもよい。上部キャリーハンドル１４０ａが筐体１０２の上部の少なくとも１つの角に位置していてもよく、筐体１０２の上部の少なくとも２つの角に位置していてもよい。同様に、カバン物品１００は、筐体１０２の各サイドパネルに連結された１又は複数のサイドキャリーハンドル１４０ｂを含んでいてもよい。サイドキャリーハンドル１４０ｂが筐体１０２少なくとも１つの側面に位置していてもよい。以下でさらに充分に説明するように、上部キャリーハンドル１４０ａ及びサイドキャリーハンドル１４０ｂは、使用者がカバン物品１００を運ぶときにより容易に操作できるように配置されてもよい。例えば、上部キャリーハンドル１４０ａ及びサイドキャリーハンドル１４０ｂは、階段等を上るなど障害物を避けてカバン物品１００を運ぶことがより容易になるように配置されてもよい。
【００２６】
カバン物品１００に使用者のアイテムが詰められると、前記荷物入れの重さはハンドルからハンドルに近い側壁に伝わる。荷物入れにかかる下向きの引張力及びハンドルにかかる上向きの引張力は、カバン物品１００の側壁をカバン物品１００の内部から離れてハンドルに向かう方向に引っ張る傾向がある。本明細書において、このカバン物品１００の側壁にかかる引張力を破損傾向と称する。伝統的なカバン物品においては、この破損傾向によって、荷物入れの隣接する壁に壁同士を離間させる方向の引張力が働いて、これらの壁の間の係合が失われる。種々の実施形態によれば、カバン物品１００は、破損傾向に抗するよう構成される係合可能なリムシステム２０５を継ぎ目２００に含む。
【００２７】
種々の実施形態によれば、係合可能なリムシステム２０５は、縁取り片２００ａ及び２００ｂをそれぞれ画定する対向する周縁リム（例えば２１０及び２５０）を含む。種々の例において、前記リムの一方は凹部を含み、他方のリムは突出フランジを含む。追加的に又は代替的に、リム２１０又は２５０の一方は第２の周縁突出フランジ２３０を含んでいてもよい。第２の周縁突出フランジ２３０は、対向するシェルの周縁リムを超えて突出してその後ろ（即ち、カバン物品１００の内側寄り）で係合するよう配置されてもよい。１つの例によれば、図１〜４Ｃに示すように、シェル１２０は周縁リム２１０を含む。対向するシェル１１０は周縁リム２５０を含む。周縁リム２１０は凹部２２０を含んでいてもよく、周縁リム２５０は突出フランジ２６０を含む。凹部２２０及び突出フランジ２６０は、ケースを閉じたときに互いに係合するように互いに対して配置される。凹部２２０及び突出フランジ２６０は、カバン物品１００が開くと互いに離間するよう構成される。
【００２８】
少なくとも図５Ａ及び５Ｂを参照すると、突出フランジ２６０は、周縁リム２１０などの対向するリム上の対応する要素と係合するよう構成される適切な突起により画定されてもよい。突出フランジ２６０は、対応する凹部、例えば、凹部２２０と緊密に係合する突起であってもよい。１つの例において、突出フランジ２６０は、横方向壁部２６３から延びる片持ち突起である。突出フランジ２６０は、全体が実質的に同じ壁厚を有するリム２５０の連続部分であってもよい。種々の実施形態において、突出フランジは壁厚の少なくとも３倍の長さがある。いくつかの実施形態において、突出フランジはその壁厚の少なくとも５倍の長さがある。突出フランジ２６０の長さは、周縁リム２５０の周縁に沿って変化してもよい。例えば、突出フランジ２６０は、掛金（ｌａｔｃｈ）機構の近くでは短く（図５Ａ参照）、掛金機構のない領域では長く（図５Ｂ参照）てもよい。しかしながら、他の例においては、前記突出フランジは、それが延びる起点となっている周縁リム２５０の部分に沿って実質的に同じ長さであってもよい。
【００２９】
種々の実施形態において突出フランジ２６０は横方向支持体２６３から延びる。横方向支持体２６３は継ぎ目２００に面する面２６６を形成してもよい。いくつかの実施形態において、この面２６６は、周縁リム２５０が画定する平面に対し概して平行である。周縁リム２５０が明確に平面を画定しない実施形態においては、面２６６は、大面１１１又は１２１に対し概して平行であってよい。面２６６は、対向する周縁リム２１０上の対向する面２３７又は対向する要素に接触し又は対向してもよい。追加的に又は代替的に、横方向支持体２６３は、概してカバン物品の内部１０４に向かって延びるフランジ又は横方向リブにより画定されてもよい。そのような実施形態においては、横方向支持体２６３は、片側がリム面２６６により、反対側が内面２６４により画定される。リム面２６６は、内側の縁２６７で終結する。
【００３０】
種々の実施形態において、突出フランジ２６０は横方向支持体２６３の中央部分に沿って横方向支持体２６３から延び、突出フランジ２６０の両側でリム面２６６及び２５５を画定している。横方向支持体２６３は、周縁リム２５０上の外壁２０３から内部に向かって延びてもよい。リム面２５５は、対向するリムの対向するフランジに面し又はこれを受容するように配置されてもよい。１つの例において、リム面２５５は、周縁リム２５０の外壁２２４とほぼ同じ厚さである。この構成により、リム面２５５が外壁２２４を受容して、周縁リム２１０の外壁２２４から周縁リム２５０の外壁２０３にかけて実質的に滑らかな輪郭を形成するように、シェル１１０及び１２０を閉じることができる。
【００３１】
上記に示したように、周縁リム２５０の輪郭はシェル１１０の周縁に沿って変化してもよい。例えば、リム面２５５が図５Ａに示すような張り出し壁２５２を画定することにより締め具（ｂｕｃｋｌｅ）１５０を受容するための受け具（ｃａｔｃｈ）１５８を画定しつつ、周縁リム２５０の外壁２０３は、図５Ｂに示すような実質的に連続的な表面形状を画定するために変化してもよい。このように、周縁リム２５０は、一方のシェルを他方のシェルと連結するための多様な係合要素を画定することができる。
【００３２】
図５Ａ及び図５Ｂに示すように、周縁リム２５０は、上記で説明したように、中に向いたフランジを画定する横方向支持体２６３を有しているが、これに加え、周縁リム２５０からカバン物品１００の内部１０４に向かって内側に延びる第２の平行なフランジ２６８を有していてもよい。第１及び第２の内側に向かって延びる横方向支持体２６３及びフランジ２６８は、シェル１１０の内側に向かって開くＣ形の溝部（ｃｈａｎｎｅｌ）を画定してもよい。この内側に向いたＣ形溝部は、従来の構成に比べリムの縁をより良く補強する。さらに、Ｃ形溝部及び横方向支持体２６３により、突合するリム面２６６がより大きく、より強くなる。突合するリム面２６６がより大きく強くなることで、これに依存する要素及び構造の柔軟性を確保できる。例えば、突出フランジ２６０をこの面から突出させてもよい。他の実施形態において、凹部２２０を継ぎ目に近い溝部の面から延びるようにしてもよい。さらに他の実施形態において、第２のフランジを支持体２６３の端部から延びるようにしてもよい。いくつかの実施形態において、Ｃ形溝部は周縁リムの一部分にのみ沿って延びる。例えば、Ｃ形溝部は凹部１５２ａから凹部１５２ｂに延びる（図３参照）。他の実施形態において、Ｃ形溝部は実質的に周縁リム２５０全体に沿って延びる。Ｃ形溝部は、この溝部を横切って延び横方向支持体２６３とフランジ２６８との間を支持するリブを含んでいてもよい。
【００３３】
少なくとも図５Ａ及び５Ｂを参照すると、凹部２２０は、突出フランジ２６０を受容するに適した溝部により画定されてもよい。凹部２２０は、突出フランジ２６０を緊密に受容する溝部であってもよい。１つの例において、凹部２２０は、リム面２３７から概して垂直に延びるスロットである。凹部２２０は、周縁リム２１０に連続する部分であってもよい。凹部２２０は、幅を突出フランジ２６０の厚みよりもわずかに大きくしてこれら２つの構造要素の間の緊密な嵌合を可能としてもよい。種々の実施形態において、凹部２２０の幅は突出フランジ２６０の厚みの３倍未満である。いくつかの実施形態において、凹部２２０の幅は、突出フランジ２６０の厚みの２倍未満である。凹部２２０の深さ又は幅は、突出フランジ２６０の異なる輪郭、厚み、又は構造に対応するよう周縁リム２１０の周縁に沿って変化してもよい。
【００３４】
種々の実施形態において、凹部２２０は横方向支持体２３２から延び、横方向支持体２３２はリム面２３７を画定する。リム面２３７は継ぎ目２００に面していてもよい。いくつかの実施形態において、このリム面２３７は概して周縁リム２１０が画定する平面に平行である。周縁リム２１０が明確に平面を画定しない実施形態においては、リム面２３７は、大面１１１又は１２１に対し概して平行であってよい。リム面２３７は、対向する周縁リム２５０上の対向するリム面２６６又は対向する要素に接触し又は対向してもよい。追加的に又は代替的に、横方向支持体２３２は、概してカバン物品の内部１０４に向かって延びる壁、横方向リブ、突起、又はフランジにより画定されてもよい。１つの実施形態において、横方向支持体２３２は第２のフランジ２３０として終結してもよい。別の実施形態において、横方向支持体２３２は内側の縁で終結してもよい。
【００３５】
上記で説明したように、周縁リム２１０は外壁２２４を有していてもよい。凹部２２０は、外壁２２４から中に向かって延びる壁２３６により画定されてもよい。そのような実施形態においては、壁２３６は凹部２２０の底部を画定することができる。この壁は、さらに凹部内壁２３４を画定しつつ前記継ぎ目に向かって延びる。この凹部内壁２３４は、突出フランジを支持するために厚みを増してもよく、又は支持力を高めるために、交差する内部リブを有していてもよい。凹部内壁２３４は、さらに内側に向かって方向を変えて横方向支持体２３２を画定してもよい。上記のように、いくつかの実施形態において、第２のフランジ２３０は、横方向支持体２３２から延びてもよい。外壁２２４は、対向するリム面２５５に面し又は係合するに適切な端部２２５を含んでいてもよい。端部２２５は、対向面２５５と係合するに適切な、壁２２４の厚みを増した部分を形成してもよい。上記のとおり、この構成により、リム面２５５が外壁２２４を受容して、周縁リム２１０の外壁２２４から周縁リム２５０の外壁２０３にかけて実質的に滑らかな輪郭を形成して、シェル１１０及び１２０を閉じることができる。
【００３６】
いくつかの実施形態において、周縁リム２１０はさらに、封止具（ｓｅａｌ）２９０を含む。１つの例において、凹部２２０は、その底部２３６に沿って封止具２９０を受容してよい。このようにして、カバン物品１００が閉じて凹部２２０が突出フランジ２６０を受容するときに、突出フランジ２６０が封止具２９０と係合しシェル１１０とシェル１２０との間に封止された係合を形成する。上記のとおり、凹部２２０は突出フランジ２６０の厚みの３倍未満又は２倍未満のスロットであってよい。好ましくは、前記凹部２２０のスロットの幅は、突出フランジ２６０を容易に受容できるようにしつつ公差を許容するために、突出フランジ２６０の幅よりわずかに広い。封止具２９０は任意の適切な寸法であってよい。例えば、前記封止具は、突出フランジ２６０と厚みが同じかそれより大きく、前記凹部２２０のスロットの幅と同じかそれより小さくなるような寸法であってもよい。前記封止具は任意の適切な素材であってもよい。例えば、前記封止具はシリコーン、ゴム、ポリマー、又は複合材料であってもよい。
【００３７】
図５Ａ及び図５Ｂに示すように、周縁リム２１０は、上記で説明した、内側に向いたフランジを画定する横方向支持体２３２に加え、周縁リム２１０からカバン物品１００の内部１０４に向かって延びる第２の平行なフランジ２２２を有していてもよい。内部に向かって延びる横方向支持体２３２（第１のフランジ）及び第２のフランジ及び２２２は、シェル１１０の内部に向かって開く溝部を画定してもよい。いくつかの実施形態において、前記溝部は前記リムの一部分にのみ沿って延びる。例えば、前記溝部は凹部１５４ａから凹部１５４ｂに延びる（図２参照）。他の実施形態において、前記溝部は実質的に周縁リム２１０全体に沿って延びる。前記溝部は、この溝部を横切って延び横方向支持体２３２とフランジ２２２との間を支持するリブを含んでいてもよい。
【００３８】
図５Ａ及び図５Ｂに示すように、第２の突出フランジ２３０は、対向するリムの内側の部分と係合するか、さもなければ係合するよう構成される適切な突起により画定されてもよい。例えば、対向するリムが周縁リム２１０であるときは、突出フランジ２３０は横方向支持体２３２の内端を超えて延び、これと係合するよう構成されてもよい。図５Ａ及び５Ｂに示すように、対向するリムが周縁リム２５０のときは、突出フランジ２３０は、リム面２６６の内端２６７を超えて延び、これと係合するよう構成されてもよい。本明細書において、突出フランジ２３０は凹部を有するリムから延びていても、別のフランジを有するリムから延びていてもよいことが説明され理解されている一方、以下の説明においては、凹部を有するリムから延びている突出フランジ２３０に言及するが、これは単なる一例であり、例及び実施形態のそれぞれは、断りなき場合、いずれの構成にも適用可能であると理解される。
【００３９】
種々の実施形態によれば、第２の突出フランジ２３０は、対向するシェル（図５Ｂに示すリム２５０、及び、具体的には、同じく図示する端部２６７）に近く、これに突合する外向きの面２３１を画定する。望ましくは、第２の突出フランジ２３０は、いずれかの周縁リムの（カバン物品１００及びその内部１０４に対し）最も内側の部分を形成する。具体的には、第２の突出フランジ２３０は内部１０４自体に向かって片持ちにされてもよい。例えば、第２の突出フランジ２３０は、別の凹部、スロット、溝（ｇｒｏｏｖｅ）、又は他の構造と係合しないように自由であってもよい。第２の突出フランジ２３０を最も内側のフランジとして配置することにより、第２の突出フランジ２３０を対向するリム全体の構造と係合させることができる。これは、第２の突出フランジ２３０が、破損を引き起こす力を対向するリムの縁全体に伝え、前記力の分散を促し破損傾向を減少させることができるため、カバン物品の破損傾向に抗する上で有益である。
【００４０】
第２の突出フランジ２３０はカバン物品１００の破損傾向を減少させるのに役立つが、第２の突出フランジ２３０は、前記周縁リムの小部分から、又は前記周縁リムの個別の選ばれた区域に沿って延びるよう限定されてもよい。例えば、第２の突出フランジ２３０は、ハンドルが位置する領域に近い周縁リム面又は支持フランジ（例えば横方向支持体２３２）から延びていてもよい。１つの例において、第２の突出フランジ２３０は、ハンドル１４０ａ及び１４０ｂに近い横方向支持体２３２から延び、これらの領域に追加的な硬さと支持力を与え、突合する２つのシェル１１０、１２０が継ぎ目で破損して開くことを防ぐ。これらの位置ではハンドルに負荷がかかっており、そのため破損を引き起こす力がこれらの領域に集中する傾向がある。第２の突出フランジ２３０をこれらの領域近くに配置することにより、これらの力を分散させるとともに、カバン物品を閉じたり使ったりする機能に対する追加的なフランジの存在又は影響を最小にできる。周縁リムのうちハンドルから離れた位置には第２の突出フランジ２３０はなくてもよい。第２の突出フランジ２３０は、リフト（ｌｉｆｔ）ハンドル（例えば１４０ａ、１４０ｂ）を有するシェルと関連する周縁リムに配置されてもよい。こうして、ハンドルからの力が同じシェルと周縁リムを通じてその一部を形成するフランジに加わる。例えば、図２に示すように、シェル１２０はリフトハンドル１４０ａ、１４０ｂ及び第２の突出フランジ２３０を含む。しかしながら、他の実施形態においては、第２の突出フランジ２３０はリムのうちハンドルに近い位置以外の位置にある部分に沿って配置されてもよいことが理解される。例えば、第２の突出フランジ２３０は周縁リム全体に沿って延びていてもよい。別の例において、第２の突出フランジ２３０は、上部面、底部面、側面の長さに沿って延びていてもよい。種々の例において、第２の突出フランジ２３０は、周縁リムの個別に選ばれた複数の区域に沿って配置されてもよい。
【００４１】
第２の突出フランジ２３０が第２の周縁リム２５０に配置される実施形態においては、前記第２の突出フランジ２３０は横方向支持体２３２から概して垂直に突出する。第２の突出フランジ２３０は、破損傾向を増大させる外向きの力に対して、突出フランジ２３０が周縁リム２１０の内側部分と係合、さもなければ干渉するように、横方向支持体２３２からリム２１０の内側に向かって延びてもよい。
【００４２】
第２の突出フランジ２３０が周縁リム２１０に配置される実施形態においては、第１及び第２の突出フランジ２３０、２６０は横方向支持体２６３から概して垂直に延びる。第２の突出フランジ２３０は、破損傾向を増大させる外向きの力に対して、第２の突出フランジ２３０が周縁リム２５０の内側部分と係合、さもなければ干渉するように、横方向支持体２６３から周縁リム２５０の内側に向かって延びてもよい。
【００４３】
いくつかの実施形態において、第２の突出フランジ２３０は周縁リムの長辺の中点の領域の一部分に沿って突出する。追加的に又は代替的に、第２の突出フランジ２３０は周縁リムの短辺の中点の領域の一部分に沿って突出する。いくつかの実施形態において、これらはハンドルの位置であり得るが、これらは力による歪が最大となって破損が引き起こされる可能性のある位置でもある。したがって、ハンドルの有無にかかわらず、これらの位置では、第２の突出フランジ２３０により追加的な支持力を与えることが有益である。
【００４４】
図４Ａ〜４Ｃに示すように、周縁リムの一方又は両方は、そこから延びる１又は複数の個別の突起２４０を有していてもよい。追加的に、対向する周縁リムは、個別の突起２４０を受容するような寸法でそのような位置にある凹部２７０を含んでいてもよい。いくつかの実施形態において、突起２４０は第２の突出フランジ２３０の個別の区域として画定される。他の実施形態において、突起２４０は、第２の突出フランジ２３０の（例えば構造的に厚みがより大きな）一部を形成してもよい。他の実施形態において、突起２４０は、第２の突出フランジ２３０とは別個の独立した要素である。突起２４０は、第１の突出フランジ２６０の壁厚又は凹部２２０の幅より厚い、外側部分２４１から部分２４２の厚みを画定する構造を含んでいてもよい。例えば、突起２４０の厚みは、突起２４０のリムに沿った長さの１／１０から突起２４０のリムに沿った長さと同じ厚みであってよい。しかし、本明細書中において、より大きな厚み又は小さな厚みが想定されることが理解されねばならない。別の例において、突起２４０の厚みは第２の突出フランジ２３０の厚みより大きくてもよい。
【００４５】
突起２４０は、他方の周縁シェルにある対応する凹部２７０と、各シェル上のロック機構又はハンドルの少なくとも一方がある領域で、係合するよう構成されていてもよい。そうして、凹部２７０は、突起２４０を堅く受容する形状と寸法を含んでいてもよい。種々の実施形態において、これらの突起はロック機構又はハンドルの近くに配置されていてもよい。この構造は、シェルを嵌め合わせたときにロック機構又はハンドルの領域でシェルをさらにかみ合わせ、衝撃耐性及び破損耐性を向上させる。
【００４６】
いくつかの実施形態において、図４Ｃに示すように、突起２４０は第２の突出フランジ２３０と連続し、その一部分を形成し得る。そのような実施形態においては、突起２４０は対向する凹部２７０と係合し、第２の突出フランジ２３０は対向する周縁リムの内部に留まってもよい。そのような構造は、図示するように、同じ位置に掛金を含むハンドル位置に適したものであり得る。しかしながら、図４Ａ及び図４Ｂに示すものなど他の位置において、掛金があるがハンドルはない位置などにおいて、前記突起は第２の突出フランジ２３０なしで存在してもよい。
【００４７】
図１に示すカバン物品１００は直立型可動式車輪付き（ｓｐｉｎｎｅｒ）ハードケースであるが、継ぎ目２００を有し閉じることのできる対向する側面を有し継ぎ目２００に沿って前記閉じることのできる側面に係合リムのある、可動式車輪付きソフトケース、コンテナ、又は他の適切な品を含むいかなるタイプのカバン物品であってもよい。継ぎ目２００は、第１のシェル部分１１０と第２のシェル部分１２０との間に延び、カバン物品１００の各シェルの上部面、底部面、前面、後面を横切って延びてもよい。１つの例において、継ぎ目２００は、主パネル１１１及び１２１に実質的に平行な直線状に延びる。他の例において、継ぎ目２００は、対向するシェルを閉じるために、任意の１又は複数の面上を異なる様式で、任意の適切な様式で延びていてもよい。さらなる例において、継ぎ目２００は、（１度又は複数回）曲がっても、急に向きを変えても、鋸形を形成しても、又は、カバン物品１００の継ぎ目２００が通っていない面に対して一定の角度で延びていてもよい。
【００４８】
少なくとも図１〜３を参照すると、カバン物品１００は閉じた構成（図１、図４Ａ、及び図４Ｃ参照）と開いた構成の間で動かすことができる。閉じた構成において、第１及び第２のシェル部分１２０は、互いに隣接して配置され継ぎ目２００を形成してもよく、１つの例において、継ぎ目２００の各周縁リム２１０、２５０が係合し、カバン物品１００の内部収納空間１０４内に使用者の所持品を収容する。１つの例において、各周縁リム２１０、２５０はそれぞれ、周縁の少なくとも一部に沿って、他方に対応する形状を有し、嵌まり合って、対応する重なり構造又はかみ合わせ構造を形成してもよい。前記対応する形状は、周縁リム２１０、２５０の長さ全体に沿って、若しくは各リム２１０、２５０の一部分に沿って延びてもよく、又は、リム２１０、２５０の複数の部分に沿って形状、寸法、若しくは他の特徴を変えてもよい。
【００４９】
図２に示すように、蝶番１６０は、第１のシェル部分１１０と第２のシェル部分１２０との間、例えば第１及び第２のシェル部分１１０、１２０の後部パネル１１２、１２２上などに、少なくとも継ぎ目２００の一部分に沿って画定されてもよい。蝶番１６０は、選択による配置を可能にするよう考えられた多種の構成を含んでいてもよく、これは例えば１つの例において、第１のシェル部分１１０を第２のシェル部分１２０に対して完全に閉じた状態から完全に開いた状態まで蝶番１６０の軸回りに回転させることによる。例えば、蝶番１６０は、後部側面１１３、１２３の対向する縁により、それぞれの長さに沿って、又はそれぞれの長さの一部分に沿って画定されてもよい。蝶番１６０は第１のシェル部分１１０の周縁リム２１０に連結されてもよく、他方の蝶番１６０は第２のシェル部分１２０の周縁リム２５０に連結されてもよい。蝶番１６０は、各周縁リム２１０、２５０に、直接的に、又は１又は複数の中間要素を介して間接的に連結されてもよい。いくつかの例において、特定の応用に応じて、蝶番１６０は、任意の数又は任意の組み合わせの布地片、ゴム片、ピアノヒンジ、一体蝶番、間隔をおいて配置した個別の蝶番、ファスナー構造、エラストマー素材の関節継手（ａｒｔｉｃｕｌａｔｉｎｇ  ｊｏｉｎｔ）、又は第１のシェル部分１１０と第２のシェル部分１２０との間の相対運動を可能にする他の適切な構造を含んでいてもよい。そのような相対運動は、固定式旋回軸回りの単純な回転を含んでいてもよく、又は並進運動若しくは他の相対運動と組み合わせた旋回軸回りの回転を含んでいてもよい。
【００５０】
図１〜４を参照すると、カバン物品１００は、支持面（例えば地面）に対してカバン物品１００を支持する１又は複数の支持部材１７０を含んでいてもよい。支持部材１７０は、脚、固定式車輪アセンブリ、可動式車輪アセンブリ、又はこれらの任意の組み合わせであってよく、筐体１０２の任意の適切なパネルと関連付けられていてよく、例えば、少なくとも１つの例において底部側面１１５、１２５に連結されている。図示するように、カバン物品１００は、４つの支持部材１７０を含んでいてもよい。そのような例においては、カバン物品１００は第１のシェル部分１１０及び第２のシェル部分１２０に２つずつ連結される支持部材１７０を含んでいてもよい。カバン物品１００は、支持面上を移動させる際に、使用者が支持部材１７０のうちの２つに重みをかけて傾けるものであってもよい。
【００５１】
図１及び図２を参照すると、引手ハンドル１３０は、引き込み位置（図２）と伸展位置との間で可動であってもよい。図２に示すように、引き込み位置においては、引手ハンドル１３０の把手は筐体１０２の近くに又は隣接して配置されてもよく、例えば筐体１０２の中に又はその方向に、少なくとも部分的に引き込まれる。引き込み位置への引手ハンドル１３０の引き込みにより、カバン物品１００全体の外形寸法を小さくできる。例えば、引手ハンドル１３０を引き込み位置に移動することにより、カバン物品１００全体の寸法が小さくなり、カバン物品１００の比較的小さなスペースへの保管及び／又は配置が容易になる。引手ハンドル１３０を伸展位置に伸ばすことにより、使用者はカバン物品１００を望むように支持面を移動させることができる。例えば、使用者は、引手ハンドル１３０を操作することにより、カバン物品１００を支持面上で押したり、引いたり、回転させたり、傾けたり、又はその他の方法で操作できる。
【００５２】
図１〜４Ｃを参照すると、カバン物品１００は、第１のシェル部分１１０と第２のシェル部分１２０とを選択により締め合わせる閉鎖機構１５０を含んでいてもよい。閉鎖機構１５０は、第１のシェル部分１１０、第２のシェル部分１２０のそれぞれと係合して選択によりカバン物品１００の開け閉めを可能とするように、第１のシェル部分１１０と第２のシェル部分１２０との間の継ぎ目２００に沿って又は隣接して配置されてもよい。閉鎖機構１５０は、掛金１５０ａ若しくは１５０ｂなどの個別の機構であってよく、又はファスナーなど、継ぎ目２００の長さの少なくとも一部分に沿って配置される連続的な閉鎖機構であってもよい。
【００５３】
開いた構成において、閉鎖機構１５０は、第１のシェル部分１１０及び第２のシェル部分１２０が、部分開放から完全開放までの任意の量で互いに対して旋回できるように、継ぎ目２００の長さに沿って係合を解く。閉鎖機構がファスナーである１つの例において、閉鎖機構は、前部側面１１２、１２２、上部側面１１４、１２４、底部側面１１５、１２５の全体に沿って係合を解く。これにより、第１及び第２のシェル部分１１０、１２０が蝶番１６０回りに互いに動くことが可能になる。閉じた構成において、閉鎖機構１５０は、継ぎ目２００の長さの少なくとも一部分に沿って係合し、第１のシェル部分１１０及び第２のシェル部分１８２の相対運動を制限する。
【００５４】
種々の例によれば、１又は複数の掛金１５０ａ又は１５０ｂは継ぎ目２００に沿って間隔を開けて配置されてもよい。図２に示すように、閉鎖機構１５０は、シェル１２０の前部側面１２２に位置する個別で単独の掛金１５０ｂを含んでいてもよい。このようにして、閉鎖機構１５０は蝶番１６０の反対側の大面に配置されてもよい。追加的に又は代替的に、種々の例において、閉鎖機構１５０は、シェル１２０の上部側面１２４に位置する個別で単独の掛金１５０ａを含んでいてもよい。このようにして、閉鎖機構１５０は追加的に又は代替的に、蝶番１６０の反対側の面以外の大面に配置されてもよい。
【００５５】
いくつかの例において、閉鎖機構１５０は、筐体１０２の前部側面１１２、１２２に画定される１又は複数の凹部１５２、１５４に配置されてもよい。より具体的には、第１及び第２のシェル部分１１０、１２０が連結されるときに凹み部分１５２、１５４が１つになって凹部１５６を画定するように、凹み部分１５２は、継ぎ目２００に沿って第１及び第２のシェル部分１１０、１２０の両方に画定されてもよい。カバン物品１００が閉じているときは、掛金１５０は、第１及び第２のシェル部分１１０、１２０の凹み部分１５２、１５４の中に配置されてもよい。カバン物品１００が開いているときは、掛金１５０は係合を解き、少なくとも部分的に第１及び第２のシェル部分１１０、１２０の一方の凹み部分１５２、１５４の中に配置される。そのような例においては、カバン物品１００が閉じているときには、掛金１５０は、第１及び第２のシェル部分１１０、１２０を締め合わせるため第１及び第２のシェル部分１１０、１２０の他方の凹み部分１５２、１５４の中に延びてもよい。いくつかの例において、カバン物品１００が開いているときは、掛金１５０の複数の部分は離間し、掛金１５０の少なくとも１つの部分が第１のシェル部分１１０の凹み部分１５２の中に位置し、掛金１５０の少なくとも１つの別の部分が第２のシェル部分１２０の凹み部分１５４の中に位置していてもよい。カバン物品１００が閉じているときには、掛金１５０の複数の部分が組み合わさって第１及び第２のシェル部分１１０、１２０をロックしてもよい。いくつかの例において、凹部１５６は、カバン物品１００が閉じた構成に配置されるとき、掛金１５０が筐体１０２の外面と概して同一平面上になるように、その下になるように、又はわずかにその上になるよう構成されてもよい。これにより、掛金１５０が出荷時に何かに挟まったり引っ掛かったりするリスクが軽減される。掛金１５０の締め具部分を、図示するシェル１２０などの一方のシェルに連結し、掛金１５０の受け具部分を図示するシェル１１０などの他方のシェルと一体に成形してもよい。受け具を凹み部分１５２に配置する形で締め具と受け具の両方を凹部１５６の中に配置してもよい。
【００５６】
カバン物品１００は多様な素材と手段で形成してもよい。例えば、筐体１０２は、（自己強化又は繊維強化）熱可塑性素材、ＡＢＳ、ポリカーボネート、ポリプロピレン、ポリスチレン、ＰＶＣ、ポリアミド、二軸延伸ポリプロピレン、及び／又はＰＴＦＥなどで形成してもよい。いくつかの例において、引手ハンドル２３２は、アルミニウム又は他の類似の金属で押出成形してもよい。さらに、筐体１０２は繊維強化エポキシ、樹脂、又は他の類似の素材から形成してもよい。カバン物品は、プラグ成形、ブロー成形、射出成形、押出成形、流し込みなど任意の適切な方法で、形成し又は型で成形してもよい。上記のとおり、カバン物品は軟質の側面素材及び／又は硬質の側面素材で形成してもよい。例示的な素材は上記に示されている。
【００５７】
すべての相対的言及及び方向に関する言及（上、下、上向き、下向き、左、右、左向き、右向き、上部、底部、側部、上に、下に、前、中、後ろ、垂直な、水平な、等を含む）は、本明細書中に説明した特定の例についての読み手の理解を助けるための例示としてなされている。これらは、特許請求の範囲に具体的に記載されない限り、特に、位置、方向、又は使用についての、要件又は限定として理解すべきでない。連結についての言及（例えば、取付けられる、結合される、連結される、接合される、等）は、広く解釈されねばならず、連結される要素同士の間に中間部材がある場合や要素間に相対運動がある場合が含まれる。そのため、連結への言及があっても、特許請求の範囲に具体的に記載されない限り、必ずしも２つの要素が直接連結され互いに固定的関係にあることを含意しない。本明細書中に説明した種々の構造を形成するには、任意の適切な形態の製造法を用いることができる。例えば、フランジ、スロット、又は他の要素を含む周縁リム構造の各々は、すべて（シェル又はフレームの一部として）一体成形することができる。射出成形によるカバン物品は好ましい実施形態であり得るが、他の適切な、カバン物品の製造、成形、構成の方法も用い得ることに留意すべきである。例えば、カバン物品はプレス成形されたケースでも、フレームがあって分かれるケース、側面が軟質のケース、等であってもよい。
【００５８】
当業者は現下に開示された例は、限定ではなく例示により教示するものであることを理解するであろう。したがって、上記の説明に含まれ、又は添付の図面に示される事項は、例示的に解釈されるべきであり、限定的な意味で解釈されてはならない。特許請求の範囲は、本明細書中に記載するすべての包括的要素及び具体的要素、並びにすべての本方法及びシステムの範囲の言明を包摂することを意図している。なお、方法及びシステムは、言葉の問題としてはその中間に属する場合もある。
【図１】
2020069401.tif 000003
【図２】
2020069401.tif 000004
【図３】
2020069401.tif 000005
【図４Ａ】
2020069401.tif 000006
【図４Ｂ】
2020069401.tif 000007
【図４Ｃ】
2020069401.tif 000008
【図５Ａ】
2020069401.tif 000009
【図５Ｂ】
2020069401.tif 000010
【外国語明細書】
2020069401000001.pdf